(57)【要約】【課題】本発明は、洗浄時に手を用いて直接管内部の物質を完全に除去でき、かつ本体が２パーツ以上に分離しない管を提供することである。【解決手段】本体部１は円筒形状になるほどの弾性とそれを保持できる剛性を持ち円筒形状から展開すると、端部２、端部３、を有する平面上になり、端部２は本体部１を円筒状にした状態で円筒の外周側に位置しており、端部３は本体部１を円筒状にした状態で円筒の内周側に位置しており、固定部５は端部２の先端に取り付けてあり、固定部４は固定部５と内周側に隙間なく合わさるように取り付けてあり、本体１が円筒形状の時、端部２と端部３が固定部４，５によって密着され、これにより管の内部を通過する物質が端部２と端部３から漏れ出ることを防いでいる。【選択図】図１
2018157889.tif 000002
【特許請求の範囲】
【請求項１】
本体部と、
前記本体部の両端に設けられる磁石を備え、
前記本体部の両端に設けられる磁石を合せてなる、ことを特徴とする管。
【請求項２】
請求項１に記載の管であって、
前記本体部は、形状記憶合金で構成される、ことを特徴とする管。
【請求項３】
請求項２に記載の管であって、
前記本体部は、設定温度より高くなると平面形状となり、設定温度より低くなると円筒形状となる、ことを特徴とする管。
【請求項４】
請求項１に記載の管であって、
前記本体部は、人力で容易に平面上に展開することが可能な弾性のある材質で構成される、ことを特徴とする管。
【請求項５】
請求項１乃至４のいずれか一項に記載の管であって、
前記管は、ストローである、ことを特徴とする管。
【発明の詳細な説明】
【技術分野】
【０００１】
本発明は、管に係わり、特に洗浄容易性を高めた管に関する。
【背景技術】
【０００２】
従来、洗浄を容易にすることを目的とする管（ストロー）があった。
【先行技術文献】
【特許文献】
【０００３】
【特許文献１】特開２０１４−１５５５２４号公報
【発明の概要】
【発明が解決しようとする課題】
【０００４】
しかしながら、上記文献に開示された管（ストロー）では、洗浄するためにストローを分解しなければならず、洗浄後に円筒形状のストローに戻すために分離したパーツを組み合わせなければならないという問題があった。
【０００５】
本発明の目的は、洗浄を容易にし、かつ洗浄後に容易に元に戻すことができる管を提供することである。
【課題を解決するための手段】
【０００６】
上記目的は、本体部１と、前記本体部の両端に設けられる磁石を備え、前記本体部１の両端に設けられる磁石を合せてなる、ことを特徴とする管１００、によって達成される。
【０００７】
また、上記目的は、本体部１は円筒形状になるほどの弾性とそれを保持できる剛性を持ち円筒形状から展開すると、端部２、端部３、を有する平面上になり、端部２は本体部１を円筒状にした状態で円筒の外周側に位置しており、端部３は本体部１を円筒状にした状態で円筒の内周側に位置しており、固定部５は端部２の先端に取り付けてあり、固定部４は内周側に円筒状にした際、固定部５と隙間なく合わさるように取り付けてあり、本体１が円筒形状の時、端部２と端部３が固定部４，５によって密着され、これにより管の内部を通過する物質が端部２と端部３から漏れ出ることを防いでいる管１００、によっても達成される。
【発明の効果】
【０００８】
本発明によれば、洗浄を容易にし、かつ洗浄後に容易に元に戻すことができる管が実現できる。さらに本体が２つのパーツで出来ている管は必ず２か所の接合部が存在するが本発明は本体が分離しないため、接合部が１つだけであり、管を通る内部物質が外に漏れ出るリスクは接合部が２つに比べてより少ない。
【図面の簡単な説明】
【０００９】
【図１】本発明の実施形態による管１００の円筒構造時を説明する図である。
【図２】本発明の実施形態による管１００の平面構造時を説明する図である。
【発明を実施するための形態】
【００１０】
以下、図１〜図２を用いて、本発明の実施形態による管１００を説明する。
図１は、管１００の断面図である。管１００は本体部１、端部２，端部３、固定部４、５を有している。
【００１１】
管１００は、本体部１が平面上に展開され、スポンジなどでこすって綺麗に洗浄できるようになっている。本体部１は、円筒形状時には円筒構造を保持でき、管内部に物質が出入りしても本体部に影響がなく、平面上に展開する際には内部をスポンジなどでこすって洗浄できるほど、人の力で容易に平面形状（あるいは板状）や円筒形状にすることが可能な弾性のある材質（例えば、シリコンや樹脂等）によって構成される場合や、形状記憶合金の材質によって構成される場合がある。本体部１の材質を形状記憶合金とした場合には、温度変化で形状を変化するようにし、本体部１を設定温度より高くすることによって、本体部１が平面形状になるように形状記憶させ、本体部１を設定温度より低くすることによって、本体部１が円筒形状になるように形状記憶させる。これにより、本体部１は、常温時には円筒形状になり、加熱時には端部２、３を有する平面形状になる。本体部１に用いられる形状記憶合金としては、Ａｇ−Ｃｄ、Ａｕ−Ｃｄ、Ｃｕ−Ａｌ−Ｎｉ、Ｃｕ−Ｓｎ、Ｃｕ−Ｚｎ、Ｆｅ−Ｐｔ、Ｍｎ−Ｃｕ、Ｆｅ−Ｍｎ−Ｓｉ、Ｆｅ−Ｎｉ−Ｃｏ−Ａｌ、Ｐｔ、Ｃｏ−Ｎｉ−Ａｌ、Ｃｏ−Ｎｉ−Ｇａ、Ｎｉ−Ｆｅ−Ｇａ、Ｔｉ−Ｐｄ、Ｎｉ−Ｔｉ等の合金があげられるが、これら以外の合金が用いられてもよい。
【００１２】
端部２は本体部１を円筒状にした状態で、円筒の外周側に位置する。端部２は先端に向かって細くとがっている。このため、円筒形状の時は管の外周が綺麗な円になり段差がなくなるようになっている。端部３は、本体部１を円筒状にした状態で、円筒の内周側に位置する。
【００１３】
固定部４は、端部３の先端に取り付けられている。固定部５は、端部２に取り付けられている。例えば、固定部４，５に磁石を用いることで、固定部４，５が磁力で密着する。これにより、管内部を通過する液体が端部２，３の隙間から漏れ出ることを防いでいる。また、例えば、端部２、３の先端がフック形状を有しており、端部２の先端を端部３の先端に引っ掛けることで管１００が形成されてもよい。
【００１４】
図２に示すように、本体部１を平面上に展開することで管内部をスポンジなどで擦って洗浄したり、タオルなどで水分をふき取ることができるようになる。また、本体部１を形状記憶合金によって構成した場合には、本体部１を設定温度以上に加熱する（例、６０℃以上の熱いお湯をかけるなど）と平面上に展開され、図２に示すような平面形状になる。洗浄後に管１００を放置して乾燥させると、本体部１が自然冷却されて常温に戻り、これによって管として使用できる円筒形状に復帰する。したがって、平面状態から円筒状態に復帰させるために、手作業で変形させるなどの使用者の作業が一切必要なく、洗浄から使用するまでの手間をほとんど無くすことができる。
【００１５】
本発明の実施形態による管１００は、平面上に展開することで管の内側を洗浄できるようになっている。一般的に管を洗浄する際は、内部を良く洗浄するにはブラシで手の届かないところを洗浄することになり、洗い残しが出るなど手で洗うよりも清潔さに欠ける。本実施形態の管１００では、平面の状態で洗浄した後、水滴をタオル等で直接ふき取ることができる。さらに、本体部１に形状記憶合金を用いた場合では、熱湯をかけるだけで、洗浄が容易な平面上に展開されるとともに、熱湯消毒が可能となる。また、管１００をストローとして用いた場合には、使い捨てのストローと違って何度も洗ってより清潔に使えるストローが提供でき、使い捨てのストローよりも環境面で優れたストローを提供できる。
【００１６】
また、本体部が２パーツ以上で構成されている場合には、一方のパーツが欠ければ使うことができなくなる。これに対して、本発明の実施形態による管１００は、１パーツのみで構成されているので複数の部品に分離しない。このため欠落や紛失の恐れがなく、取り扱いが容易である。また、複数のパーツで構成されている場合、接合部分に力の負荷がかかりやすくなるため、着脱の際には、接合部分の突起に大きな力が作用して欠損することが考えられる。また、そのようにして生じた破片が内部を通過する物質に混入する危険性もある。これに対して、本実施形態による管１００は、接合部分がなく分離しないので部品の着脱による欠損のおそれがない。
【産業上の利用可能性】
【００１７】
本発明は、あらゆるタイプの管において広く利用可能である。例えばストロー程度の細い管や医療用のチューブ、特定の気体などを送る管、大量の液状物質などを送る直径が３０ｃｍを超えるような管などである。
【符号の説明】
【００１８】
管  １００
本体部  １
端部  ２
端部  ３
固定部  ４
固定部  ５
【図１】
2018157889.tif 000003
【図２】
2018157889.tif 000004
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
本体部と、
前記本体部の両端に設けられる磁石を備え、
前記本体部の両端に設けられる磁石を合せてなり、前記本体部は、形状記憶合金で構成される、ことを特徴とする管。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
本体部と、
前記本体部を開いたときの２箇所の接合部にそれぞれ設けられる磁石を備え、
前記２箇所の接合部にそれぞれ設けられる磁石を合せてなり、前記本体部は、設定温度より高くすることによって平面形状になる記憶合金で構成される、ことを特徴とする管。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
本体部と第一の固定部と第二の固定部を備えた管であって、
前記本体部は、設定温度より高くすることによって平面形状になり及び設定温度より低くすることで円筒形状になる形状記憶合金で構成され、
前記第一の固定部と前記第二の固定部は、磁石で構成され、
前記第一の固定部は、前記本体部が平面形状になった場合の一端に設けられ、
前記第二の固定部は、前記本体部が平面形状になった場合の前記一端の向かい合う端に設けられ、
前記本体部を設定温度より低くした場合に、前記第一の固定部と前記第二の固定部が磁石の吸着力によって固定され、前記本体部の両端が密着することで管状となり、
前記本体部を設定温度より高くした場合に、前記第一の固定部と前記第二の固定部を離すことで前記本体部が平面形状に展開される、
ことを特徴とする管。